(57)【特許請求の範囲】
【請求項１】
一側に摘み手を突出して設け、その反対側内方に切れ目を設け、裏面に再剥離性を有する接着剤、粘着剤などを摘み手を含み、切れ目を避けて周囲に塗付した合成樹脂製着色フィルムの上に、ラベルを配置し、このラベルは第一ラベル片と、切り取り線を境に隣接した第二ラベル片とよりなり、第一ラベル片の裏面に、合成樹脂製着色フィルムから非剥離性の接着剤を塗付し、第二ラベル片の位置する合成樹脂製着色フィルムの裏面に、再剥離性を有する接着剤、粘着剤を塗付し、さらにこの第二ラベル片の裏面にその面積よりも小区域に、合成樹脂製着色フィルムから非剥離性の接着剤を塗付し、この非剥離性の接着剤を塗付した周囲に沿って切り取り線を合成樹脂製着色フィルムに設け、この切り取り線の周囲の合成樹脂製着色着色フィルムの表面で、第二ラベル片が位置する箇処に、剥離層を設けたことを特徴とする遮光性シュリンクラベル。
【請求項２】
切れ目を山形状とし、頂き部分をラベル側としたことを特徴とする請求項１記載の遮光性シュリンクラベル。
【発明の詳細な説明】
【０００１】
【産業上の利用分野】
この発明は薬品などの容器に用いる遮光性シュリンクラベルに関するものである。
【０００２】
【従来の技術】
従来において薬剤などのガラス製、合成樹脂製などの容器には、その胴部表面に名称、内容物を表示し、また効能、使用法などを記載したラベルが貼られている。また内容物に関する表示を施し、容器の全面を密封するところの着色または無色のシュリンクラベルを用いることも行われている。ここで着色のものは、その内容物を外部光より保護することに役立たせるものである。しかしこのシュリンクラベルは使用に当たって、それを剥がして開封するために、前記の内容物に関する表示もそのまま剥がされてしまい、必要に応じて中身を後から確認したり、残ったものを再使用する際に確認できず不便であった。
【０００３】
【発明が解決しようとする課題】
この発明は、薬剤などの容器の表面を覆うための、シュリンクラベルに改良を加えた遮光性シュリンクラベルを提供するものである。
【０００４】
【課題を解決するための手段】
一側に摘み手(t) を突出して設け、その反対側内方に切れ目(k) を設け、裏面に再剥離性を有する接着剤、粘着剤(n) などを摘み手(t) を含み、切れ目(k) を避けて周囲に塗付した合成樹脂製着色フィルム(1) の上に、ラベル(2) を配置し、このラベル(2) は第一ラベル片(2a)と、切り取り線(c1)を境に隣接した第二ラベル片(2b)とよりなり、第一ラベル片(2a)の裏面に、合成樹脂製着色フィルム(1) から非剥離性の接着剤(m) を塗付し、第二ラベル片(2b)の位置する合成樹脂製着色フィルム(1) の裏面に、再剥離性を有する接着剤、粘着剤(n) を塗付し、さらにこの第二ラベル片(2b)の裏面にその面積よりも小区域に、合成樹脂製着色フィルム(1) から非剥離性の接着剤(m) を塗付し、この非剥離性の接着剤(m) を塗付した周囲に沿って切り取り線(c2)を合成樹脂製着色フィルム(1) に設け、この切り取り線(c2)の周囲の合成樹脂製着色フィルム(1) の表面で第二ラベル片(2b)が位置する箇処に、剥離層(Si)を設けたことを特徴とする遮光性シュリンクラベル(A) の構成とする。
【０００５】
【発明の実施の形態】
この発明の実施の形態を実施例によって図面を参照して説明する。図１（イ）、図１（ロ）［図１（イ）の中央横断面（Ｘ−Ｘ’線）を厚さのみ拡大して示す図］に示すのは、この発明の再剥離可能な遮光性シュリンクラベル(A) であって、それはセパレーター(S) 上に、一側に摘み手(t) を突出して設け、その反対側内方に切れ目(k) ［切れ目を山形状とし、頂き部分をラベル(2) 側とすることによって後述の剥離し易くなる］を設け、裏面に再剥離性を有する接着剤または粘着剤［各種の接着剤、粘着剤があるが、感圧性粘着剤が好適である］(n) などを前記摘み手(t) を含み、切れ目(k) は避けて周囲に塗付した合成樹脂製着色フィルム［たとえばオレンジ色に着色した不透明なポリエチレン製フィルム材］(1) の上に、それより小さく一定の大きさのラベル(2) を配置する。ここでこのラベル(2) は第一ラベル片(2a)と、切り取り線(c1)を境に第二ラベル片(2b)とよりなっている。第一ラベル片(2a)には通常の薬品名（商標名）、製造会社名、用法、使用期限などの販売、使用に当たって必要な一般的な記載を印刷表示する。第二ラベル片(2b)には後述するように開封により、前記の第一ラベル片(2a)が無くなった後、これが残存して、開封後も識別することができるように、さらにまた医局などにおいて必要な専門的な記載などを含む記載を印刷などで表示してある。
【０００６】
そして第一ラベル片(2a)はその裏面には、合成樹脂製着色フィルム(1) から剥がれることのない接着剤(m) が塗付されており、遮光性シュリンクラベル(A) に常に固定的に配置されている。一方、遮光ラベル(A) の第二ラベル片(2b)の裏面には、前記の再剥離性を有する接着剤、粘着剤(n) が、第二ラベル片(2b)の面積よりも小さい区域に塗付されており、合成樹脂製着色フィルム(1) において、その周囲に切り取り線(c2)が設けてある。したがって第二ラベル片(2b)はこの切り取り線(c2)より大きい。そして合成樹脂製着色フィルム(1) の表面において、この第二ラベル片(2b)が位置する周囲に、剥離層(Si)が設けてある。この剥離層(Si)は、たとえばシリコンオイルが塗付された層であり、それによって非接着性の層を形成している。この非接着性の層を形成するには、他の同効の適宜の手段でも差し支えない。これにより第二ラベル片(2b)は第一ラベル片(2a)とは並んでいるが、分離して存在することとなる。すなわちこの周囲にある剥離層(Si)に、第二ラベル片(2b)が載置されている状態となっている。
【０００７】
以下その使用法を図２（イ）〜図２（ホ）によって説明する。図２（イ）は当初において遮光性シュリンクラベル(A) を薬品などの容器(B) に、その裏面に塗付した再剥離性を有する接着剤、粘着剤(n) を利用して巻き付けた状態である。その際、切れ目(K) を摘み手(t) で覆うように巻き付けて、容器(B) 全体を密封しておく。これによって容器(B) の内容物を遮光性シュリンクラベル(A) 、すなわち第一ラベル片(2a)、第二ラベル片(2b)を伴う合成樹脂着色フィルム(1) によって隠蔽して保持し、容器(B) 表面にはそれら第一ラベル片(2a)、第二ラベル片(2b)が共にあることにより、それらによって内容物が識別された状態で、また完全に遮光されて流通、保管されることとなる。つぎに容器(B) の内容物を取り出すために使用に当たっては、図２（イ）に示す合成樹脂製着色フィルム(1) を矢印方向に摘み手(t) を持って引っ張り、引き剥がすことにより、図２（ロ）に示すように切れ目(K) を引き裂いて開封される。
【０００８】
その際、第一ラベル片(2a)はそのまま剥がれるが、前述のように第二ラベル片(2b)が位置する箇処に、剥離層(Si)が設けてあることにより、図２（ハ）に示すように、第二ラベル片(2b)は切り取り線(c1)より離れ、合成樹脂製着色フィルム(1) に設けてある切り取り線(c2)と、その周囲の剥離層(Si)によって分離し、図２（ニ）に示すように容器(B) 上に残る。(h) はこの第二ラベル片(2b)が無くなった跡孔を示す。最終的に、この第二ラベル片(2b)の裏面に存在する再剥離性を有する接着剤、粘着剤(n) を有する合成樹脂製着色フィルム(1) が容器(B) に接着し、さらにこの合成樹脂着色フィルム(1) と第二ラベル片(2b)は固定的に非剥離の接着剤(m) によって固定されていることによって、図２（ホ）に示すように、第一ラベル片(2a)を伴った合成樹脂製着色フィルム(1) の大部分が無くなり、第二ラベル片(2b)だけが残り、それによって容器(B) 内の内容物を以後も識別することが容易にできることとなる。なお(Si') は第二ラベル片(2b)の剥離層(Si)に載置状態であった部分である。
【０００９】
【発明の効果】
この発明の遮光性シュリンクラベルは、当初において遮光性シュリンクラベル(A) となる合成樹脂製着色フィルム(1) を、薬品などの容器(B) に、その裏面に塗付した再剥離性を有する接着剤、粘着剤(n) を利用してその切れ目(K) を摘み手(t) で覆うように巻き付けて、容器(B) 全体を密封し、容器(B) の内容物を遮光性シュリンクラベル(A) によって隠蔽して保持し、その際、容器(B) 表面には第一ラベル片(2a)、第二ラベル片(2b)が共にあることにより、それらによって内容物が識別された状態で、また完全に遮光されて流通、保管される。容器(B) の内容物を取り出して使用するに当たり、摘み手(t) を持って引っ張り、引き剥がすことにより、切れ目(K) を引き裂いて容易に開封され、第一ラベル片(2a)はそのまま剥がれるが、第二ラベル片(2b)) は切り取り線(c1)より離れ、合成樹脂製着色フィルム(1) に設けてある切り取り線(c2)と、その周囲の剥離層(Si)によって分離し、必ず容器(B) 上に残ることとなる。これは従来のこの種のシュリンクラベルが使用に当たり、その全部を剥がして開封するために、内容物に関する表示もそのまま剥がされてしまい、必要に応じて中身を後から確認したり、残ったものを再使用する際に確認できず不便であったことを解消して、第二ラベル片(2b)の残存によって、容器(B) 内の内容物を以後も識別することが容易にできてまことに有用である。
【図面の簡単な説明】
【図１】この発明の遮光性シュリンクラベルを示す正面図および拡大横断面図。
【図２】この発明の遮光性シュリンクラベルの使用法を示す説明図。
【符号の説明】
(A)   遮光性シュリンクラベル
(S)   セパレーター
(1)   合成樹脂製着色フィルム
(2a)  第一ラベル片
(2b)  第二ラベル片
(n)   再剥離性の接着剤、粘着剤
(m)   非剥離性の接着剤
(B)   容器
(Si)  剥離層
(K)   切れ目
(S)   セパレーター
(c1),(c2)   切り取り線
(h)   跡孔
(t)   摘み手
【図１】
0004078623.tif 000002
【図２】
0004078623.tif 000003